(57)【要約】【課題】軒樋曲り継手に軒樋を見栄え良く接続するとともに、軒先コーナー部に落ち葉除けカバーを簡単且つ確実に取り付けることができるようにする。【解決手段】平面視略Ｌ字状に屈曲した継手本体（３１）の両端に、段差部（３３）を介して軒樋（１）の肉厚幅分だけ内側へ凹んだ軒樋接続部（３２）を設け、軒樋接続部（３２）に軒樋（１）の端部を接続したときに継手本体（３１）の外周面と軒樋（１）の外周面とが面一となるように形成するとともに、軒樋接続部（３２）の前後側壁（３２ｂ、３２ｃ）の上部間に支持板（３６）を架け渡して一体に形成し、この支持板（３６）の上面に、落ち葉除けカバー（４）の支持部（３６ａ）を設けて軒樋曲り継手（３）を構成する。【選択図】図１
2008179965.tif 000002
【特許請求の範囲】
【請求項１】
平面視略Ｌ字状に屈曲した継手本体の両端に、段差部を介して軒樋側壁の肉厚幅分だけ内側へ凹んだ軒樋接続部を設け、この軒樋接続部に軒樋端部を接続したときに継手本体の外周面と軒樋の外周面とが面一となるように形成するとともに、軒樋接続部の前後側壁の上部間に支持板を架け渡して一体に形成し、この支持板の上面に、落ち葉除けカバーの支持部を設けた構成を有することを特徴とする軒樋曲り継手。
【請求項２】
前端上縁に後方へ凹形状に屈曲した堤壁部が形成された落ち葉除けカバーを、前端を軒樋曲り継手の前側壁上面、後端を軒先水切り上方に配して軒先側へ下り勾配に傾けて支持した構成を有することを特徴とする請求項１に記載の軒樋曲り継手。
【発明の詳細な説明】
【技術分野】
【０００１】
本発明は、入隅や出隅などの家屋の軒先コーナー部で軒樋同士を接続する軒樋曲り継手に関する。
【背景技術】
【０００２】
従来の軒樋曲り継手として、例えば図８に示されるように、屋根の出隅に沿って平面視Ｌ字状に直角に折れて形成された軒樋曲り継手１００の両端内側に、軒樋１０１、１０１の端部が嵌合して接続する構成のものが知られている。
また、前記軒樋１０１内に落ち葉その他のゴミが入り込むことを防止する落ち葉除けカバーを、軒樋の前側壁上部と後側壁上部に載せて支持し、或いは軒樋を支持する吊り金具で支持したり、軒先に固定した水切板の先端から落ち葉除けカバーを延設し、その端部を軒樋の前側壁上部で支持したりする構造が知られている（例えば特許文献１、２、３参照）。
【０００３】
【特許文献１】実開平２−１４１０２５号公報
【特許文献２】実公平６−１３９３６号公報
【特許文献３】特開２００５−２３５３７号公報
【発明の開示】
【発明が解決しようとする課題】
【０００４】
前記図示した従来の軒樋曲り継手１００では軒樋１０１、１０１との継ぎ目部分に段差ができ、軒先を見上げたときに継ぎ目部分が目立って見栄えが悪いという外観上の問題があった。
また、前述した支持構造によって落ち葉除けカバーを軒樋上方に支持することができるものの、落ち葉除けカバーの取り付けは手間がかかるものであり、さらに、軒先コーナー部では落ち葉除けカバーを安定的に支持することができず、軒樋曲り継手の上面に被せた落ち葉除けカバーが風を受けて取り外れてしまうことがあった。また、落ち葉除けカバーを軒樋や軒樋曲り継手の上面にぴったりと被せて取り付けた場合に、屋根から流れ落ちる雨水が落ち葉除けカバー上面を伝ってそのまま流れ落ち、軒樋の集水機能が低下してしまうこともあった。
【０００５】
本発明は従来技術の有するこのような問題点に鑑み、軒樋曲り継手に軒樋を見栄え良く接続するとともに、軒先コーナー部に落ち葉除けカバーを簡単且つ確実に取り付けることができるようにすることを課題とする。
【課題を解決するための手段】
【０００６】
前記課題を解決するため本発明の軒樋曲り継手は、平面視略Ｌ字状に屈曲した継手本体の両端に、段差部を介して軒樋側壁の肉厚幅分だけ内側へ凹んだ軒樋接続部を設け、この軒樋接続部に軒樋端部を接続したときに継手本体の外周面と軒樋の外周面とが面一となるように形成するとともに、軒樋接続部の前後側壁の上部間に支持板を架け渡して一体に形成し、この支持板の上面に、落ち葉除けカバーの支持部を設けた構成を有することを特徴とする。
【０００７】
これによれば、軒樋曲り継手の軒樋接続部に軒樋の端部を外側から嵌合して接続した状態で軒樋曲り継手と軒樋の外周面が面一となるので、継ぎ目部分が目立たず、軒先コーナー部の外観をすっきりと綺麗なものに納めることができる。
また、軒樋曲り継手の両端に落ち葉除けカバーの支持部を備えた支持板を設けてあるので、この支持部を利用して落ち葉除けカバーを簡易な作業で取り付けることができ、また、軒樋曲り継手内で落ち葉除けカバーを支持することで軒先コーナー部における落ち葉除けカバーの取り付け安定性が高まり、落ち葉除けカバーが風を受けても当初の取り付け位置に安定的に支持しておくことができる。
支持板上面に設ける支持部としては、例えばビスなど留め具の固定部位を支持板上面に一体に形成しておき、落ち葉除けカバーの上方から当該カバーに形成された通水孔を通した留め具の端部を固定部位に嵌入することにより、落ち葉除けカバーが支持板に一体に固定されるように設けることができる。
【０００８】
前記構成において、前端上縁に後方へ凹形状に屈曲した堤壁部が形成された落ち葉除けカバーを、前端を軒樋曲り継手の前側壁上面、後端を軒先水切り上方に配して軒先側へ下り勾配に傾けて支持するように構成することができる。
落ち葉除けカバーの前端に堤壁部が設けてあれば、屋根から流れ落ち、カバー上面を伝う雨水を堤壁部で堰き止めて、カバーに形成された通水孔から軒樋曲り継手や軒樋内へと確実に流し落すことができる。落ち葉も一端堤壁部で堰き止められるが、風で吹き飛ばされるのでカバー上面に堆積することはない。
【発明を実施するための最良の形態】
【０００９】
本発明の好適な一実施形態を図面を参照して説明する。
図１は本発明の一実施形態の軒樋曲り継手で軒樋を接続する場合の軒先コーナー部における取り付け部材の構成展開外観図、図２は図１の軒樋曲り継手の上面図、図３は軒樋曲り継手に軒樋を接続した状態の外観図、図４は軒樋及び落ち葉除けカバーを取り付けた状態の軒先の概略断面図、図５は軒樋曲り継手の上方で軒樋同士を接続する継手部材の外観図、図６は図１の軒樋曲り継手に落ち葉除けカバーを取り付けた状態の上面図、図７は図１とは異なる形状の落ち葉除けカバーを軒樋に取り付けた状態の軒先の概略断面図である。
【００１０】
図示した形態は軒先コーナー部である出隅に取り付けられる軒樋曲り継手に軒樋を接続し、継手及び軒樋の上面に落ち葉除けカバーを設置する構成のものであり、各図において符号１は軒樋、２は樋吊り具、３は軒樋曲り継手、４は落ち葉除けカバー、５はカバー支持体、６はビス形の留め具である。
【００１１】
軒樋１は、例えば表面を塩化ビニル樹脂で覆うなどの耐蝕加工が施された、或いは耐蝕性を有する長尺の鋼板を板金加工により長手方向に沿って屈曲させて、底壁１１の両側に前側壁１２と後側壁１３を立ち上げた略Ｕ字断面形状に形成してある。前側壁１２は底壁１１から斜め前方へ立ち上がり、その上端に鋭角に内側へ折り返した内折れ部１２ａを設けてあり、後壁部１３の上端には後方へ張り出してコ字状に屈曲した耳部１３ａを設けてある。
【００１２】
樋吊り具２は、鼻隠し７に接合する基部２１の前面に、軒樋１の前側壁１２上端の内折れ部１２ａが係合する前側支持片２２と、後壁１２の耳部１３ａが係合する後側支持片２３を一体に設けて形成してある。また、前側支持片２２の上面には、後述するカバー支持体５の脚部５１が嵌合する、上下に連通した筒状の支持部２２ａを一体に設けてある。
【００１３】
軒樋曲り継手３は、図１及び図２に示されるように、平面視略Ｌ字状に屈曲した継手本体３１の両端に、軒樋１の端部が外嵌合して接続する軒樋接続部３２を一体に設けて形成してある。
【００１４】
より詳しくは、継手本体３１は、底壁３１ａの両側に前後側壁３１ｂ、３１ｃを立ち上げてなり、その両端は軒樋１と略同じ断面形状に設けてある。軒樋接続部３２は、継手本体３１の端部から、段差部３３を介して軒樋１の周壁の肉厚幅分だけ内側へ凹ませて底壁部３２ａと前後側壁３２ｂ、３２ｃとを突出させた形状に設けてあり、軒樋１が軒樋接続部３２に接続すると、軒樋１の端部が段差部３３に当接して継手本体３１の外周面と軒樋１の外周面が面一に納まるようになっている。また、継手本体３１の後壁部３１ｃの上端には軒樋１の耳部１３ａを支持する軒耳部係止部３１ｄが設けてあり、この軒耳係止部３１ｄと軒樋接続部３２の後壁部３２ｃの間には、軒樋１の周壁の肉厚幅と略等しい幅のスリット溝３４を形成してある。さらに、この軒耳係止部３１ｄの両端には軒樋接続部３２の端部よりも側方へ適宜な長さ突出した案内片３５を連ねてある。
【００１５】
そして、軒樋曲り継手３に軒樋１を接続する際に、案内片３５に軒樋１の後側壁１３上部を当接させて軒樋１の端部を軒樋接続部３２の端部にあてがい、そのままの軒樋１を軒樋接続部３２側へ水平に押し入れれば、軒樋１の耳部１３ａが軒耳係止部３１ｄに係合しながら後側壁１３がスリット溝３４に進入して軒樋１の端部が軒樋接続部３２の外面に嵌り込み、図３に示されるように、軒樋１の前側壁１２上端の内折れ部１２ａと後壁部１３上端の耳部１３ａが軒樋接続部３２の前側壁３２ａの上端と樋耳係止部３１ｄにそれぞれ係合し、軒樋接続部３２の底壁部３２ａと前後側壁３２ｂ、３２ｃが軒樋１の底壁１１と前後側壁１２、１３に内嵌合して、軒樋１が軒樋接続部３２に一体に接続するようになっている。
また、両軒樋接続部３２、３２の前後側壁３２ｂ、３２ｃの上部間には、支持板３６、３６が一体に架け渡してあり、両支持板３６、３６の上面には、後述するカバー支持体５の脚部５１が嵌合する、上下に連通した筒状の支持部３６ａを形成してある。
【００１６】
落ち葉除けカバー４は、図１に示されるように、軒樋１の上面開口を覆い得る幅を有する本体部４１の前端に、本体部４１に対して傾斜した取付面部４２を一体に設けた適宜な長さの長尺板材であり、本体部４１の表面には幅方向に延びた通水孔４３を多数形成してある。取付面部４２は、その下部が軒樋１の内折れ部１２ａ上面に接合する形状に形成されており、上部には後方の本体部４１側へ凹形状に屈曲した堤壁部４４を設けてある。落ち葉除けカバー４は、軒樋１の上面に沿って複数枚を配し且つ各々両側端同士を継ぎ合わせて設置されるが、軒樋曲り継手３の上面に設置される落ち葉除けカバー４は、当該曲り継手の上部半面を覆うように側端を斜めに切り欠いた形状に設けてある。
【００１７】
カバー支持体５は、樋吊り具２の前側支持片２２に形成された支持部２２ａと軒樋曲り継手の支持板３６に形成された支持部３６ａに嵌入して固定される鋲形の脚部５１の上端に、脚部５１に対して斜めに傾いていて表面に留め具６の下端が嵌入する長孔５２ａが形成された方形状の支持片５２を一体に設けて形成してある。脚部５１は、その上部に鍔部５１ａを有するとともにその下側を縦割れさせ且つ下端５１ｂの周囲を大径に設けてあり、支持部２２ａ、３６ａに脚部５１を差し入れると下端５１ｂが縮径して没入し、鍔部５１ａが支持部２２ａ、３６ａの上面に当接する位置で下端５１ｂが拡径して支持部２２ａ、３６ａの下面に係合するようになっている（図４参照）。
【００１８】
これらの部材を用いた軒先コーナー部の施工は、軒樋曲り継手３と軒樋１を軒先に取り付け、両部材を接続し、次いで落ち葉除けカバー４を取り付けて軒樋曲り継手３及び軒樋１の上方で支持させる手順により行われる。
軒樋１の取り付けは、適宜な間隔を開けて鼻隠し７に沿って固定された樋吊り具２、２間に軒樋１を架け渡し、図４に示されるように、軒樋１の内折れ部１２ａと耳部１３ａをそれぞれ樋吊り具２の前側支持片２２と後側支持片２３とに係合し支持させることにより行うことができる。また、軒樋曲り継手３と軒樋１の接続は、前述の通り、軒樋曲り継手３の案内片３５に軒樋１の後側壁１３の上部を当接させ、軒樋１の端部を軒樋接続部３２の端部にあてがった状態で軒樋接続部３２側へと押し入れ、軒樋接続部３２の外周面を軒樋１の内周面に内嵌合させるとともに、軒樋１の内折れ部１２ａと耳部１３ａを軒樋接続部３２の前側壁３２ａの上端と樋耳係止部３１ｄとにそれぞれ係合させることにより行うことができる。接続により重合する軒樋１の端部と軒樋曲り継手３の端部には予め接着剤が塗布される。軒樋１が軒樋曲り継手３の軒樋接続部３２に接続すると、軒樋１の端部が段差部３３に当接して継手本体３１の外周面と軒樋１の外周面が面一となり、継ぎ目部分が目立たない、すっきりとした外観のものに納められる。
【００１９】
軒樋曲り継手３に軒樋１を接続したならば、両部材の上面に落ち葉除けカバー４を、カバー支持体５及び留め具６を用いて取り付ける。
落ち葉除けカバー４の取り付けは、軒樋１の上面にあっては、各樋吊り具２の支持部２２ａに、支持片５２が軒先側へ下り傾斜するように向けてカバー支持体５を取り付け、この支持片５２の上面に落ち葉除けカバー４を載せ、落ち葉除けカバー４の通水孔４３と支持片５２の長孔５２ａに留め具６を係入させて留め付け、支持片５２の上面に落ち葉除けカバー４を一体に固定することにより行うことができる。軒樋１の上面に取り付けられた落ち葉除けカバー４は、図４に示されるように、その前端に設けた取付面部４２が軒樋１の内折れ部１２ａ上面に重なり、本体部４１の後端を軒先水切り８の上方に配して、軒先側へ下り勾配に傾けて支持される。
また、軒樋曲り継手３の上面にあっては、支持板３６の支持部３６ａに前記と同様にカバー支持体５を取り付け、側端部が斜めに切り欠かれた落ち葉除けカバー４をカバー支持体５の支持片５２の上面に載せ、通水孔４３と長孔６２ａに留め具６を係入して留め付けることにより落ち葉除けカバー４を取り付けることができる。軒樋曲り継手３の上面に取り付けられた落ち葉除けカバー４は、その前端に設けた取付面部４２が継手本体３１と軒樋接続部３２の前側壁３１ｂ、３２ｂの上面に重なり、本体部４１の後端を軒先水切り８の上方に配して、軒先側へ下り勾配に傾けて支持される。また、落ち葉除けカバー４、４の側端部同士は、図５及び図６に示されるように、両側に前記カバー側端部が嵌入する凹溝９１、９１を有する継手部材９で一体に接続することができる。
【００２０】
本形態の軒樋曲り継手３によれば、軒樋接続部３２に軒樋１の端部を接続した状態で軒樋曲り継手３と軒樋１の外周面が面一となるので、継ぎ目部分が目立たず、軒先コーナー部の外観をすっきりと綺麗なものに納めることができる。また、軒樋曲り継手３の両端に落ち葉除けカバー４の支持部３６ａを設けてあるので、この支持部３６ａを利用して落ち葉除けカバー４を簡易な作業で取り付けることが可能であり、また、落ち葉除けカバー４の取り付け安定性が高まり、風を受けても落ち葉除けカバー４を当初の取り付け位置に安定的に支持しておくことができる。
さらに、落ち葉除けカバー４の前端に堤壁部４４が設けてあるので、屋根から流れ落ち、カバー上面を伝う雨水を堤壁部４４で堰き止めて、通水孔４３から軒樋曲り継手３や軒樋１内へと確実に流し落すことが可能である。
【００２１】
図７は、前記とは形状の異なる落ち葉除けカバー４とカバー支持体５を用いて、軒樋１の上面に落ち葉よけカバー４を支持させた形態を示している。図示されるように、落ち葉除けカバー４とカバー支持体５は、屋根の軒先構造に応じた形状や大きさのものを用いることができる。また、軒樋曲り継手３の形態は、図示した屋根の出隅部に配置される外曲り継手に限定されず、屋根の入隅部に取り付けられる内曲り継手にも適用可能である。また、接続部の形状は、接続する軒樋の形状などに応じて適宜な形状に形成することが可能である。
【図面の簡単な説明】
【００２２】
【図１】本発明の一実施形態の軒樋曲り継手で軒樋を接続する場合の軒先コーナー部における取り付け部材の構成展開外観図である。
【図２】図１の軒樋曲り継手の上面図である。
【図３】軒樋曲り継手に軒樋を接続した状態の外観図である。
【図４】軒樋及び落ち葉除けカバーを取り付けた状態の軒先の概略断面図である。
【図５】軒樋曲り継手の上方で軒樋同士を接続する継手部材の外観図である。
【図６】図１の軒樋曲り継手に落ち葉除けカバーを取り付けた状態の上面図である。
【図７】異なる形状の落ち葉除けカバーを軒樋に取り付けた状態の軒先の概略断面図である。
【図８】従来の軒樋曲り継手に軒樋を接続した状態の外観図である。
【符号の説明】
【００２３】
１  軒樋、１１  底壁、１２  前側壁、１３  後側壁、１３ａ  耳部、２  樋吊り具、２１  基部、２２  前側支持片、２２ａ  支持部、２３  後側支持片、３  軒樋曲り継手、３１  継手本体、３２  軒樋接続部、３３  段差部、３４  スリット溝、３５  案内片、３６  支持板、３６ａ  支持部、４  落ち葉除けカバー、４１  本体部、４２  取付面部、４３  通水孔、４４  堤壁部、５  カバー支持体、５１  脚部、５２  支持片、６  留め具、７  鼻隠し、８  軒先水切り、９  継手部材
【図１】
2008179965.tif 000003
【図２】
2008179965.tif 000004
【図３】
2008179965.tif 000005
【図４】
2008179965.tif 000006
【図５】
2008179965.tif 000007
【図６】
2008179965.tif 000008
【図７】
2008179965.tif 000009
【図８】
2008179965.tif 000010